(57)【要約】【課題】雄ルアーの抜取り時における血液等の逆流を一層効果的に防止することのできる新規な構造のニードルレスコネクターを提供する。【解決手段】ハウジング１２に形成された薬液流路２８の先端開口部３８にスリット６４を備えた弾性弁体１４が配されており、雄ルアー１０２を挿抜することで薬液流路２８の連通と遮断とが切り換えられるニードルレスコネクター１０において、弾性弁体１４には雄ルアー１０２の挿抜によって変形する変形部６０が形成されており、変形部６０が変形によりハウジング１２に当接すると共に、変形部６０とハウジング１２との当接面における変形部６０とハウジング１２との少なくとも一方に粗面領域が設けられている。【選択図】図１
2017104233.tif 000002
【特許請求の範囲】
【請求項１】
ハウジングに形成された薬液流路の先端開口部にスリットを備えた弾性弁体が配されており、雄ルアーを挿抜することで該薬液流路の連通と遮断とが切り換えられるニードルレスコネクターにおいて、
前記弾性弁体には前記雄ルアーの挿抜によって変形する変形部が形成されており、該変形部が変形により前記ハウジングに当接すると共に、
該変形部と該ハウジングとの当接面における該変形部と該ハウジングとの少なくとも一方に粗面領域が設けられていることを特徴とするニードルレスコネクター。
【請求項２】
前記ハウジングにおける前記薬液流路の先端開口部側の端面が、中央部分が突出し裾方向に広がって傾斜する突状支持面とされており、該突状支持面に対して前記弾性弁体が重ね合わされて配置されている請求項１に記載のニードルレスコネクター。
【請求項３】
前記弾性弁体の外周側に変形許容空間が設けられており、該弾性弁体への前記雄ルアーの挿し入れにより該弾性弁体における前記変形部が該変形許容空間内に膨らみ変形するようになっている請求項１又は２に記載のニードルレスコネクター。
【請求項４】
前記当接面において、前記弾性弁体への前記雄ルアーの挿抜により前記変形部が前記ハウジングに対して摺動しながら変形するようになっている請求項１〜３の何れか１項に記載のニードルレスコネクター。
【請求項５】
前記粗面領域が前記ハウジングに設けられている請求項１〜４の何れか１項に記載のニードルレスコネクター。
【請求項６】
前記粗面領域における最大高さ粗さが１０μｍ〜２００μｍの範囲内に設定されている請求項１〜５の何れか１項に記載のニードルレスコネクター。
【発明の詳細な説明】
【技術分野】
【０００１】
本発明は、医療分野における輸液ルート等の液体流路に用いられて、かかる液体流路に対してシリンジ等に設けられた雄ルアーを接続可能とするニードルレスコネクターに関するものである。
【背景技術】
【０００２】
従来から、医療分野において輸液や輸血等を行う液体流路では、シリンジや輸液バッグ等を接続および切り離し可能とするために、ニードルレスコネクターが用いられる場合がある。かかるニードルレスコネクターは、米国特許第６１７１２８７号明細書（特許文献１）の図１に記載されているように、ハウジングに形成された薬液流路の先端開口部に弾性弁体が組み付けられている。薬液流路の基端はカテーテルと接続可能になっており、血管に挿入されたカテーテルと薬液流路基端とが接続されることにより、薬液流路と血管とが連通されるようになっている。
【０００３】
そして、弾性弁体に貫通形成されたスリットに対して、外部から雄ルアーを挿し入れることにより、弾性弁体が開いて薬液流路と雄ルアーとが連通されるようになっており、その状態で雄ルアーに接続されたシリンジ等からニードルレスコネクター内部に薬液を流入させることで、患者に薬液投与を行う。薬液投与が完了すると、雄ルアーはスリットから抜き取られ、スリットは弾性弁体の復元に伴って閉鎖される。これにより、薬液流路の先端開口部が弾性弁体で遮断されて、血管等に接続された薬液流路から雄ルアーが切り離されるようになっている。
【０００４】
ところが、上記特許文献１に記載されたニードルレスコネクターは、外部から雄ルアーを挿し入れた際に、弾性弁体の中央部分が薬液流路の先端開口部から内方に入り込むように弾性変形する。その結果、雄ルアーを抜き取る際には、弾性弁体の復元変形に伴って、血管等に接続された薬液流路の容積が増大して、薬液流路への血液等の吸い込み力が生じるため、薬液流路に接続されたカテーテルに血管から血液が入り込む逆流が発生し易かった。
【先行技術文献】
【特許文献】
【０００５】
【特許文献１】米国特許第６１７１２８７号明細書
【発明の概要】
【発明が解決しようとする課題】
【０００６】
本発明は、上述の事情を背景に為されたものであって、その解決課題は、雄ルアーの抜取り時における血液等の逆流を一層効果的に防止することのできる新規な構造のニードルレスコネクターを提供することにある。
【課題を解決するための手段】
【０００７】
以下、このような課題を解決するために為された本発明の態様を記載する。なお、以下に記載の各態様において採用される構成要素は、可能な限り任意の組み合わせで採用可能である。
【０００８】
本発明の第１の態様は、ハウジングに形成された薬液流路の先端開口部にスリットを設けた弾性弁体が配されており、雄ルアーを挿抜することで該薬液流路の連通と遮断とが切り換えられるニードルレスコネクターにおいて、前記弾性弁体には前記雄ルアーの挿抜によって変形する変形部が形成されており、該変形部が変形により前記ハウジングに当接すると共に、該変形部と該ハウジングとの当接面における該変形部と該ハウジングとの少なくとも一方に粗面領域が設けられていることを特徴とするものである。
【０００９】
本態様に従う構造とされたニードルレスコネクターによれば、変形部とハウジングとの当接面の少なくとも一部における変形部とハウジングとの少なくとも一方に粗面領域が設けられていることから、当接面における変形部とハウジングとの密着による吸着状の張付きが防止されると共に、実質的な当接面積が小さくされて摩擦抵抗の軽減も図られ得る。その結果、雄ルアーの抜取り時において、弾性弁体が元の形状に速やかに復帰し得る。即ち、雄ルアーの挿入時には、雄ルアーを押し込むことで弾性弁体の変形部は強制的に変形させられるが、雄ルアーの抜取り時には、弾性弁体の変形部は復元力のみで元の形状に復帰することから、弾性弁体が変形中にハウジングに張り付いたりして動きが阻害されてしまうと素早く復帰することが困難となり、スリットが安定して閉鎖されず目的とする血液等の逆流防止効果が十分に発揮され難くなるおそれもあるという、新たな課題が本発明者によって見出され得た。そして、本態様によれば、かかる課題を解決して、目的とする速やかな薬液流路の遮断と、薬液や血液等の逆流防止効果の向上とを、何れも安定して達成させることができるのである。
【００１０】
なお、変形部とハウジングとの当接面の少なくとも一部にシリコンオイル等を塗布してハウジングと弾性変形中の弾性弁体との張付きを防止することも考えられるが、本発明のように、当接面の少なくとも一部に粗面領域を設けることにより、シリコンオイルの塗布量を少なくしたり、シリコンオイルの塗布工程を省いたりすることができる。尤も、当接面の少なくとも一部に粗面領域を設けると共に、当接面における粗面領域を設けた部分と同一の部分または異なる部分、或いはその両方にシリコンオイルを塗布して張付防止効果の向上を図ってもよい。また、当接面において、粗面領域が設けられるのは、変形部とハウジングとの何れか一方であってもよいし、それら両方に設けられてもよい。
【００１１】
さらに、粗面領域は、変形部とハウジングとの少なくとも一方に粗面化処理を施すことで構成されてもよいし、如何なる処理も施されない状態で粗面とされていてもよい。上記粗面化処理としては、例えばハウジングの内面、変形部の内面または外面、或いはその何れに対しても、梨子地加工やエッチング加工、ショットブラスト加工等を施すことで粗面にしてもよい。また、ハウジングや弾性弁体が射出成形で形成される場合には、成形キャビティ内面の所定領域に上記各種加工方法等により凸部や凹部を設けると共に、それを転写することで、当該凸部や凹部と対応する凹部や凸部をハウジングや弾性弁体の所望の領域に設けて粗面領域としてもよい。なお、粗面領域における凹凸の形状、大きさ、密度等は何等限定されるものではない。
【００１２】
本発明の第２の態様は、前記第１の態様に係るニードルレスコネクターにおいて、前記ハウジングにおける前記薬液流路の先端開口部側の端面が、中央部分が突出し裾方向に広がって傾斜する突状支持面とされており、該突状支持面に対して前記弾性弁体が重ね合わされて配置されているものである。
【００１３】
本態様に従う構造とされたニードルレスコネクターによれば、ハウジングに突状支持面が設けられて、当該突状支持面に対して弾性弁体が重ね合わされて支持されるようになっている。そして、雄ルアーの挿入時には、弾性弁体が突状支持面に沿って拡開変形されるようになっていることから、弾性弁体が薬液流路側に入り込むことが防止される。また、変形部が突状支持面から離隔するように弾性変形することから、弾性弁体と突状支持面との間の容積が増大する。それ故、雄ルアーを抜き取った際には、変形部が突状支持面に再び重ね合わされて当接するように復元変形することから、広がっていた弾性弁体が閉じる分、および弾性弁体と突状支持面との間の容積分に相当する容積減少量だけ薬液流路に陽圧（正圧）が発生することとなり、血液等の逆流が防止されるようになっている。即ち、かかる構造のニードルレスコネクターは、上述の如き雄ルアー抜取り時における薬液流路容積の増大という問題を解消し得るものであり、優れた血液等の逆流防止効果を発揮し得る。
【００１４】
また、突状支持面と弾性復帰後の弾性弁体とは実質的に全体が密着状態で重ね合わされることが望ましい。これにより、雄ルアーの抜取り後において、突状支持面と弾性弁体とが再び密着状態とされ得ることから、更に大きな陽圧を発生し得る。このことから、突状支持面と弾性弁体との隙間内における血液等の残留が一層防止されると共に、血液等の逆流が更に一層効果的に防止され得る。
【００１５】
本発明の第３の態様は、前記第１又は２の態様に係るニードルレスコネクターにおいて、前記弾性弁体の外周側に変形許容空間が設けられており、該弾性弁体への前記雄ルアーの挿し入れにより該弾性弁体における前記変形部が該変形許容空間内に膨らみ変形するようになっているものである。
【００１６】
本態様に従う構造とされたニードルレスコネクターによれば、雄ルアーの挿入に際して、弾性弁体が変形し得るための変形許容空間を弾性弁体の外周側に設けている。特に、雄ルアーを挿し入れることにより、弾性弁体の変形部が突状支持面から離れて変形許容空間内に膨らむように変形することから、雄ルアーの挿入時において弾性弁体の膨らみ変形に際しての変形抵抗力を小さく抑えると共に、薬液流路の容積を増大させることができる。これにより、雄ルアーの抜取り時には当該薬液流路の容積が減少させられることから、一層確実に陽圧が発生させられて、血液等の逆流防止作用が効果的に発揮され得る。
【００１７】
本発明の第４の態様は、前記第１〜第３の何れかの態様に係るニードルレスコネクターにおいて、前記当接面において、前記弾性弁体への前記雄ルアーの挿抜により前記変形部が前記ハウジングに対して摺動しながら変形するようになっているものである。
【００１８】
本態様に従う構造とされたニードルレスコネクターによれば、弾性弁体へ雄ルアーを挿抜することにより、弾性弁体の変形部がハウジングに対して摺動しつつ変形して、かかる変形部とハウジングとの当接面の少なくとも一部が粗面領域とされている。これにより、当接面における弾性弁体とハウジングとの張付きが効果的に回避されて、雄ルアーの抜取りに伴う弾性弁体の復元変形時にも、弾性弁体がハウジングに対して滑らかに摺動する。この結果、薬液流路の遮断がより確実に実現され得て、血流等の逆流防止効果が一層安定して発揮され得る。
【００１９】
なお、本発明において、粗面領域は弾性弁体における変形部とハウジングとの少なくとも一方に設けられていればよいが、特にハウジングに設けられることが好適である。
【００２０】
すなわち、本発明の第５の態様は、前記第１〜第４の何れかの態様に係るニードルレスコネクターにおいて、前記粗面領域が前記ハウジングに設けられているものである。
【００２１】
本発明の第６の態様は、前記第１〜第５の何れかの態様に係るニードルレスコネクターにおいて、前記粗面領域における最大高さ粗さが１０μｍ〜２００μｍの範囲内に設定されているものである。
【００２２】
本態様に従う構造とされたニードルレスコネクターによれば、粗面領域における最大高さ粗さが上記範囲内に設定されていることで、変形部とハウジングとの張付きが効果的に防止され得る。なお、粗面領域における最大高さ粗さとは、ＪＩＳ  Ｂ  ０６０１：２０１３の最大高さ粗さＲｚに従うものであり、基準長さを２．５ｍｍとしている。また、粗面領域上の凹凸が射出成形で形成される場合には、抜き勾配の角度が１°〜１０°に設定されることが好適である。抜き勾配が上記数値範囲とされることにより、成形型の脱型が安定して実現されると共に、かかる数値範囲で形成される凹凸により、変形部とハウジングの張付きが効果的に防止され得る。
【００２３】
本発明の第７の態様は、前記第１〜第６の何れかの態様に係るニードルレスコネクターであって、前記ハウジングにおける前記薬液流路の先端開口部の端面が、中央部分が突出し裾方向に広がって傾斜する突状支持面とされており、該突状支持面に対して前記弾性弁体が重ね合わされて配置されていると共に、前記スリットの長さ方向と直交する縦断面において、該弾性弁体の外周側に変形許容空間が設けられていると共に、該突状支持面と該弾性弁体との重ね合わせ面の少なくとも一部における該突状支持面と該弾性弁体との少なくとも一方に前記粗面領域が設けられているものである。
【００２４】
本態様に従う構造とされたニードルレスコネクターによれば、スリットの長さ方向と直交する方向、即ち雄ルアーの挿入の際に弾性弁体が雄ルアーにより最も押し広げられる方向において変形許容空間が設けられていることから、弾性弁体の変形が安定して実現され得る。それに加えて、当該方向における突状支持面と弾性弁体との重ね合わせ面の少なくとも一部において粗面領域が設けられている。即ち、弾性弁体の最も変形量が大きい方向に粗面領域が設けられていることから、弾性弁体と突状支持面との張付防止作用が最も効果的に享受されて、高度な薬液や血液等の逆流防止効果が発揮され得る。
【００２５】
本発明の第８の態様は、前記第７の態様に係るニードルレスコネクターであって、前記スリットの長さ方向と直交する縦断面において、該スリットを挟んだ両側に位置してそれぞれ前記弾性弁体の外周面に開口して設けられた一対の抉れ状部を含んで前記変形許容空間が形成されているものである。
【００２６】
本態様に従う構造とされたニードルレスコネクターによれば、変形許容空間が弾性弁体の外周面に設けられた抉れ状部を含んで形成されていることから、変形許容空間が大きな容積をもって形成され得る。それ故、雄ルアー挿入時に、弾性弁体が突状支持面から離隔して容易に、且つ大きく膨らみ変形することができて、突状支持面と弾性弁体との間に安定して隙間を形成することができる。このことから、雄ルアー抜取り時に、より確実に陽圧が発生して、血液等の逆流防止効果が更に向上され得る。なお、抉れ状部の大きさは何等限定されるものではないが、例えば抉れ状部の最深部が、ハウジングにおける雄ルアーの挿入口よりも内方にまで広がっていることが好ましい。
【００２７】
本発明の第９の態様は、前記第１〜第８の何れかの態様に係るニードルレスコネクターにおいて、前記ハウジングにおける前記薬液流路の先端開口部の端面が、中央部分が突出し裾方向に広がって傾斜する突状支持面とされており、該突状支持面に対して前記弾性弁体が重ね合わされて配置されている一方、該突状支持面には傾斜角度を異ならせる変曲部が形成されていると共に、該変曲部より該先端開口部側における該突状支持面と該弾性弁体との重ね合わせ面の少なくとも一部において、該突状支持面と前記弾性弁体との少なくとも一方に前記粗面領域が設けられているものである。
【００２８】
本態様に従う構造とされたニードルレスコネクターによれば、突状支持面において傾斜角度を異ならせる変曲部が形成されていることから、突状支持面へ重ね合わされる弾性弁体には、変曲部に対応する位置に屈曲部分が形成される。それ故、雄ルアー挿入時において、突状支持面に沿って弾性弁体が変形する際に、かかる屈曲部分が突状支持面から離隔するような変形が発生し易い。従って、このような変曲部よりも先端開口部側の重ね合わせ面において粗面領域が設けられることにより、雄ルアー抜取り時における弾性弁体と突状支持面との張付きが発生しにくく、安定したスリットの閉作動が実現され得る。これにより、薬液や血液等の逆流防止効果が安定して発揮され得る。なお、本発明における変曲部は、突状支持面の断面において、当該突状支持面を構成する曲線または直線の変曲点または交点に相当する。
【００２９】
本発明の第１０の態様は、前記第１〜第９の何れかの態様に係るニードルレスコネクターであって、前記弾性弁体において前記雄ルアーが挿入される側の外側端面に対して、弾性を有する第２弁体が重ね合わされていると共に、該第２弁体には第２のスリットが設けられており、該雄ルアーが該弾性弁体の前記スリットと該第２弁体の該第２のスリットとに挿し入れられることで、前記薬液流路と該雄ルアーとが連通するようにされているものである。
【００３０】
本態様に従う構造とされたニードルレスコネクターによれば、第２弁体が弾性弁体の外側端面に設けられており、弾性弁体および第２の弁体の両スリットに対して雄ルアーが挿抜される。特に、弾性弁体のスリットから抜き取られた雄ルアーが第２の弁体のスリットの壁面によりしごかれるようにして第２弁体から抜き取られることから、雄ルアーの先端に付着した薬液や血液等が外部へ漏出するおそれを一層低減させることができる。
【発明の効果】
【００３１】
本発明に従う構造とされたニードルレスコネクターによれば、雄ルアーの挿抜に伴い弾性弁体が変形してハウジングと当接するようにされており、かかるハウジングと弾性弁体の変形部との当接面の少なくとも一部におけるハウジングと変形部との少なくとも一方に粗面領域が設けられていることから、雄ルアーの抜取り時において、ハウジングと変形部との張付きが抑制される。これにより、弾性弁体のスリットが素早く閉状態となることから、血液等の逆流が効果的に防止され得る。
【図面の簡単な説明】
【００３２】
【図１】本発明の１実施形態としてのニードルレスコネクターを示す縦断面図であって、図２におけるＩ−Ｉ断面図。
【図２】図１におけるＩＩ−ＩＩ断面図。
【図３】図１に示されるニードルレスコネクターを構成する弾性弁体の正面図。
【図４】図３に示される弾性弁体の側面図。
【図５】図１に示されるニードルレスコネクターに雄ルアーを挿入して雄ルアー内部と薬液流路とを連通させた状態を説明するための説明図。
【図６】図５におけるＶＩ−ＶＩ断面図。
【図７】本発明の別の実施形態としてのニードルレスコネクターを示す縦断面図であって、図１に対応する図。
【図８】本発明の更に別の実施形態としてのニードルレスコネクターを示す縦断面図であって、図１に対応する図。
【発明を実施するための形態】
【００３３】
以下、本発明の実施形態について、図面を参照しつつ説明する。
【００３４】
先ず、図１，２には、本発明の１実施形態としてのニードルレスコネクター１０が示されている。このニードルレスコネクター１０は、ハウジング１２に対して、弾性弁体としての下部弁１４と第２弁体としての上部弁１６とが組み込まれた構造とされている。なお、以下の説明中、上下方向とは、薬液流路の延びる方向および雄ルアーの挿抜方向である図１，２中の上下方向を言う。
【００３５】
より詳細には、ハウジング１２は分割構造とされており、図１，２中の下方に位置するベースハウジング１８と、図１，２中の上方に位置するカバーハウジング２０とを含んで構成されている。
【００３６】
ベースハウジング１８は、上下方向に延びる筒状部２２の外周側に離れて周壁部２４が設けられており、これら筒状部２２と周壁部２４の上端部間が上底部２６で一体的に連結されている。また、筒状部２２は、周壁部２４から下方に突出しており、筒状部２２の内部に薬液流路２８が形成されている。なお、周壁部２４の外周面において、長さ方向（図２中の上下方向）中間部分には、周上で部分的に複数の係合突部３０が、外周側に突出して形成されている。かかる係合突部３０は、上方の面が、下方になるにつれて突出寸法が大きくなる傾斜面とされていると共に、下方の面が、外周側に垂直に突出する垂直面とされている。一方、周壁部２４の内周面にはロック溝３２が形成されている。
【００３７】
そして、図示しない血管内留置カテーテル等が、ベースハウジング１８の筒状部２２の基端開口部に対して接続されるようになっている。本実施形態では、筒状部２２と周壁部２４とによってロック型のルアー構造が構成されており、カテーテル等が確実に且つ容易に接続可能とされている。
【００３８】
また、ベースハウジング１８において、筒状部２２と周壁部２４を連結する上底部２６の上端面には、中央部分から上方に向かって略山形に突出すると共に裾方向に傾斜して広がる突状支持面３４が形成されている。この突状支持面３４の上端には、軸直角方向の１方向（図２中の左右方向）に平坦に延びる頂部３６が形成されている。これにより、本実施形態では、突状支持面３４が全体として長山形状とされている。
【００３９】
さらに、筒状部２２に形成された薬液流路２８には、上方端部において、断面積を縮小されたノズル状の先端開口部３８が形成されている。そして、このノズル状の先端開口部３８が、突状支持面３４において頂部３６の中央に開口している。また、頂部３６の延びる方向と直交する方向（図１中の左右方向）の突状支持面３４には、頂部３６を挟んだ両側に、先端開口部３８から突状支持面３４に沿って裾側下端まで直線状に延びる一対の連通溝４０，４０が形成されている。
【００４０】
また、頂部３６の延びる方向と直交する方向の突状支持面３４には、頂部３６を挟んだ両側に、一対の湾曲凹部４２，４２が形成されている。これらの湾曲凹部４２，４２は、突状支持面３４の表面を抉ったように形成されており、外方に凹となる円弧状断面形状をもって頂部３６と同方向に延びている。
【００４１】
すなわち、図１にも示されているように、頂部３６の延びる方向と直交する方向の縦断面において、突状支持面３４は、軸方向上方が内方に凸となる曲線で構成されている一方、軸方向下方が、裾側下端に向かって延びる直線で構成されている。従って、湾曲凹部４２，４２の下端縁部を挟んで軸方向上方と下方とで突状支持面３４の傾斜角度が異ならされている。即ち、本実施形態では、これら湾曲凹部４２，４２の下端縁部により変曲部４４，４４が構成されており、当該変曲部４４，４４を挟んで上方と下方とが外方に凸となるように屈曲して接続されている。なお、湾曲凹部４２，４２の表面には連通溝４０，４０は形成されておらず、突状支持面３４において、湾曲凹部４２，４２を外れた傾斜面に連通溝４０，４０が形成されている。
【００４２】
なお、ベースハウジング１８において、上底部２６の上面には、突状支持面３４の外周側を所定幅で周方向に広がる環状の平坦面４６が形成されている。
【００４３】
このようなベースハウジング１８と協働してハウジング１２を構成するカバーハウジング２０は、図１，２に示されているように、全体として段付の円筒形状を有している。即ち、かかるカバーハウジング２０は、大径の円筒形状を有するカバー本体４８と、小径の円筒形状を有する接続口部５０とが、円環板形状の上底部５２により一体的に連結されている。なお、カバー本体４８には、ベースハウジング１８の係合突部３０と対応する位置において、係合孔５４が厚さ方向で貫通して形成されている。
【００４４】
そして、下方に向かって開口するカバー本体４８が、ベースハウジング１８の上方から組み付けられて、カバー本体４８の下方開口部がベースハウジング１８の外周面に嵌め合わされている。なお、カバー本体４８とベースハウジング１８とは、係合突部３０が係合孔５４に入り込むことで周方向で位置決めされ得ると共に、係合突部３０下端の垂直面と係合孔５４の内面が当接することで、ベースハウジング１８におけるカバー本体４８の下方からの抜けが防止されている。このように、ベースハウジング１８とカバーハウジング２０は非接着で組み付けられ得るが、必要に応じて、適当な箇所で、溶着や接着等が施されてもよい。
【００４５】
このようにベースハウジング１８に対してカバーハウジング２０が組み付けられることにより、ベースハウジング１８の上方において、カバーハウジング２０で周囲を覆われた内部領域が形成されている。また、かかる内部領域は、カバーハウジング２０の接続口部５０を通じて、上方に開口されている。なお、接続口部５０の外周面には、ロック溝５６が形成されている。また、カバー本体４８および接続口部５０の各周壁には、内外に貫通する空気抜き孔５８が周上で部分的に１つ、或いは複数（本実施形態では２つずつ）形成されている。
【００４６】
かかるベースハウジング１８およびカバーハウジング２０は、好適にはポリプロピレン、ポリカーボネート、またはポリエステル系の合成樹脂等の射出成形によって製造される。このポリエステル系の合成樹脂としては、例えばイーストマンケミカル社製「ＰＥＴＧ」などが好適に採用される。
【００４７】
そして、上述の如きハウジング１２内に形成された内部領域に対して、下部弁１４と上部弁１６が組み込まれている。なお、これら下部弁１４および上部弁１６は、弾性を有するゴムやエラストマにより形成される。
【００４８】
下部弁１４は、図３，４に示されているように、全体としてオーバル形の外周面をもったブロック形状の弁本体部６０を有している。この弁本体部６０の上側部分は、全体として略楕円断面を有する柱体状部６２とされており、当該柱体状部６２には軸直角方向の１方向（図４中の左右方向）に延びるスリット６４が上下方向に貫通して形成されている。また、弁本体部６０の下側部分はテーパ状に広がる外周面形状をもった拡径部６６とされている。
【００４９】
ここにおいて、スリット６４と直交する方向（図３中の左右方向）の両方向における弁本体部６０の外周面には、外周面に開口して内方に凸となるように抉った一対の抉れ状部６８，６８が形成されている。これらの抉れ状部６８，６８は互いに対称的な同一の断面形状とされて、スリット６４と同方向に直線的に延びている。そして、スリット６４と直交する方向における柱体状部６２の外周面が内方に凸となる滑らかな湾曲面で構成されている一方、当該外周面の下端から拡径部６６の外周面が延び出している。特に、本実施形態では、抉れ状部６８，６８の深さ寸法（図３中の左右方向寸法）が最大となる最深部７０，７０が、ニードルレスコネクター１０の製品状態において、接続口部５０よりも軸方向視で内方に位置していると共に、弁本体部６０の軸方向中央よりも上方に位置している。
【００５０】
要するに、抉れ状部６８が上記の如き形状とされることにより、スリット６４と直交する方向における弁本体部６０の両側外周面は、上下方向の全体に折れ点をもたないで滑らかにつながった略湾曲面形状とされており、かかる湾曲面の下側部分が拡径部６６のテーパ面により構成されている。
【００５１】
なお、下部弁１４の上下方向両端部には、弁本体部６０の上端部および下端部から外周側に延び出す上下フランジ部７２，７４が一体形成されている。
【００５２】
また、下部弁１４は上端面が平坦面とされている一方、下端面には、中央部分に開口する凹所７６が形成されている。この凹所７６は、前述のベースハウジング１８の突状支持面３４の外面形状に対応した内面形状とされており、拡径部６６から柱体状部６２に亘って形成されている。
【００５３】
具体的には、凹所７６における開口側の内周面が、突状支持面３４の軸方向下方側に対応したテーパ面形状とされている。また、凹所７６における上底側の内周面が、突状支持面３４の軸方向上方側に対応した形状とされており、突状支持面３４の頂部３６に対応する谷線を挟んだ両側（図３中の左右方向両側）には、突状支持面３４の湾曲凹部４２，４２に対応した湾曲凸部７８，７８が形成されている。
【００５４】
そして、下部弁１４におけるスリット６４が、凹所７６の谷線に沿って形成されている。なお、凹所７６の内周面には、深さ方向中間部分において、突状支持面３４の変曲部４４，４４に対応した位置で、湾曲凸部７８，７８の下端縁により構成される変曲部８０，８０が形成されている。これにより、凹所７６の内周面において、変曲部８０，８０より開口側が直線状に傾斜するテーパ面とされている一方、変曲部８０，８０より上底側には内方に凸となる湾曲面が設けられている。本実施形態では、かかる変曲部８０，８０が、弁本体部６０において下側部分とされた拡径部６６よりも上方に位置している。そして、弁本体部６０における拡径部６６は、内外周面がテーパ面とされて、薄肉のテーパ筒部として形成されている。
【００５５】
一方、上部弁１６は、全体として略円柱形状の弁本体部８２を有しており、この弁本体部８２の上下方向両端部からは外周側に突出する上下フランジ部８４，８６が一体形成されている。また、弁本体部８２の中央部分には、軸直角方向の１方向（図２中の左右方向）に延びる第２のスリットとしてのスリット８８が上下方向に貫通して形成されている。
【００５６】
そして、下部弁１４の上端面に上部弁１６が重ね合わされた状態で、これら下部弁１４および上部弁１６が、ハウジング１２内に組み込まれている。ここにおいて、下部弁１４における凹所７６の内面が、ベースハウジング１８における突状支持面３４の実質的に全面に亘って略密着状態で重ね合わされていると共に、下部弁１４のスリット６４が突状支持面３４の上端に設けられた頂部３６に沿って延びる状態で重ね合わされている。即ち、下部弁１４の柱体状部６２が突状支持面３４の頂部３６側に重ね合わされている一方、下部弁１４の拡径部６６が突状支持面３４の裾部側に重ね合わされている。また、下部弁１４の下側のフランジ部７４は、突状支持面３４の外周側でベースハウジング１８の平坦面４６に対して略密着状態で重ね合わされている。
【００５７】
また、下部弁１４の上側のフランジ部７２には、上部弁１６の下側のフランジ部８６が重ね合わされており、略同じ外径寸法とされた両フランジ部７２，８６が、カバーハウジング２０の上底部５２の下面に重ね合わされている。
【００５８】
さらに、ハウジング１２には、略円筒形状の押さえスリーブ９０が組み込まれており、下部弁１４の弁本体部６０に外挿状態で配されている。この押さえスリーブ９０は、下部弁１４における上下のフランジ部７２，７４間に組み付けられており、押さえスリーブ９０の軸方向下端面により、下部弁１４の下側フランジ部７４の外周部分が、ベースハウジング１８の平坦面４６に押し付けられてシール固定されている。また、押さえスリーブ９０の軸方向上端面により、互いに重ね合わされた下部弁１４の上側フランジ部７２と上部弁１６の下側フランジ部８６との各外周部分が、カバーハウジング２０の上底部５２に押し付けられてシール固定されている。これにより、押さえスリーブ９０がハウジング１２内で軸方向に位置決めされると共に、カバーハウジング２０に対するベースハウジング１８の軸方向位置が規定される。
【００５９】
なお、かかる押さえスリーブ９０の上下両端部では、径方向幅寸法（図１中の左右方向寸法）が大きくされて外周側に突出しており、これら突出面が、カバーハウジング２０のカバー本体４８の内周面に当接している。これにより、押さえスリーブ９０による下部弁１４の上下フランジ部７２，７４におけるシール固定力を大きくすることができると共に、径方向においても押さえスリーブ９０がハウジング１２内に位置決めされ得る。
【００６０】
また、押さえスリーブ９０の軸方向略中央部分には、周壁を厚さ方向に貫通する貫通孔９２が周上で１つ、或いは複数（本実施形態では２つ）形成されている。
【００６１】
そして、弁本体部６０の外周側には、当該弁本体部６０の外周側への弾性変形を許容する変形許容空間９４が、周方向の全周に亘って形成されている。特に、押さえスリーブ９０が弁本体部６０の外周面から外方に離隔されており、これら押さえスリーブ９０と弁本体部６０との間、即ち、下部弁１４の上下一対のフランジ部７２，７４の対向面間に変形許容空間９４が形成されている。なお、本実施形態では、弁本体部６０の外周面に、内方に凸となる抉れ状部６８，６８が形成されており、変形許容空間９４と連通されて一体的に形成されている。換言すれば、弁本体部６０の外周側において全周に亘って形成される変形許容空間９４が、一対の抉れ状部６８，６８を含んで構成されている。また、押さえスリーブ９０とカバーハウジング２０のカバー本体４８との間には間隙９６が形成されており、押さえスリーブ９０の貫通孔９２，９２と間隙９６、カバー本体４８の空気抜き孔５８，５８によって、変形許容空間９４を外部空間に連通する空間連通路が形成されている。これにより、下部弁１４の弾性変形時に、変形許容空間９４内の空気ばねの作用により下部弁１４の変形が阻害されるおそれが低減されている。
【００６２】
さらに、上部弁１６のスリット８８と直交する方向（図１中の左右方向）において、弁本体部８２と接続口部５０との間には隙間が形成されており、かかる隙間により、弁本体部８２の弾性変形を許容する変形許容空間９８が形成されている。かかる変形許容空間９８は、接続口部５０に形成された空気抜き孔５８，５８により外部空間に連通されている。これにより、上部弁１６の弾性変形時に、変形許容空間９８内の空気ばねの作用により上部弁１６の変形が阻害されるおそれが低減されている。
【００６３】
そして、かかる上部弁１６、下部弁１４、押さえスリーブ９０がハウジング１２内に組み付けられることにより、本実施形態のニードルレスコネクター１０が構成されている。かかる組付けは、例えばカバーハウジング２０に対して、上部弁１６、押さえスリーブ９０を組み付けた下部弁１４、およびベースハウジング１８をカバーハウジング２０の下方開口部から順次挿入すると共に、カバーハウジング２０の係止孔５４に対してベースハウジング１８の係止突部３０を嵌め入れて、適宜接着や溶着を行うことで実現され得る。かかるニードルレスコネクター１０では、上部弁１６と下部弁１４とが、周方向で位置合わせされており、それぞれのスリット８８，６４が同一の方向に延びるようにされている。なお、これらのスリット８８，６４は、後述する雄ルアー１０２の挿入前は密着状態にあり、開口していない。
【００６４】
ここで、突状支持面３４の外面と下部弁１４における凹所７６の内面との重ね合わせ面において、当該重ね合わせ面の少なくとも一部における突状支持面３４と下部弁１４との少なくとも一方が粗面領域とされている。本実施形態では、突状支持面３４における変曲部４４，４４よりも上方、即ちスリット６４の長さ方向と直交する方向において突状支持面３４に形成される湾曲凹部４２，４２表面が粗面領域とされている。即ち、初期状態では、粗面領域とされる突状支持部３４上の湾曲凹部４２，４２の表面と、下部弁１４の凹所７６上に形成された湾曲凸部７８，７８の内表面とが略密着状態で重ね合わされている。
【００６５】
なお、かかる領域を粗面とする手段は何等限定されるものではないが、本実施形態では、サンドブラスト加工により粗面領域が形成されている。即ち、前述の合成樹脂等を用いて射出形成する際に、予め成形キャビティの内面に砂状の粒体を吹き付ける等のブラスト加工を施しておき、かかる成形キャビティを用いて成形することにより、加工物（ワーク）に粒体の凹凸が転写されて、目的の領域が粗面化されたベースハウジング１８を得ることができる。
【００６６】
また、粗面領域における凹凸の大きさ、密度等は何等限定されるものではないが、粗面領域の凹凸の大きさは、ＪＩＳ  Ｂ  ０６０１：２０１３に規定された最大高さ粗さＲｚが、基準長さを２．５ｍｍとして、１０μｍ〜２００μｍの範囲内であることが好ましい。粗面領域における凹凸の大きさが上記範囲内とされることにより、スリット６４の開閉作動が引っ掛かることなく実現されると共に、後述するスリット６４の弾性復帰中における下部弁１４と突状支持面３４との張付防止効果が安定して発揮され得る。
【００６７】
さらに、粗面領域における凹凸の形状は何等限定されるものではないが、例えば粗面領域が射出形成にて形成される場合には、粗面領域における凹凸の抜き勾配は、１°〜１０°の範囲内であることが好ましい。凹凸の抜き勾配が上記範囲内とされることにより、射出形成の際の脱型が安定して実現されると共に、製品および金型の形状を簡単なものとすることができる。
【００６８】
上述の如き構造とされたニードルレスコネクター１０は、前述のように薬液流路２８の他端側の開口部に対して図示しない血管内留置カテーテル等が接続されて使用される。そして、かかる使用状態下、図５，６に示されているように、上方から、シリンジ１００等の雄ルアー１０２がハウジング１２の接続口部５０を通じて上部弁１６のスリット８８に挿し入れられると共に、下部弁１４の上面に押し付けられることにより、それぞれのスリット８８，６４が拡開されて、雄ルアー１０２を通じてシリンジ１００の内部が薬液流路２８に連通状態とされる。また、使用後には、雄ルアー１０２が上部弁１６および下部弁１４から抜去されることにより、それぞれのスリット８８，６４が閉鎖されて、薬液流路２８が遮断状態とされる。即ち、上下弁１６，１４に雄ルアー１０２を挿抜することにより、薬液流路２８の連通と遮断が切り換えられるようになっている。
【００６９】
なお、図５，６に示されたシリンジ１００の雄ルアー１０２は、雄型のルアーロック構造とされており、ハウジング１２の接続口部５０に対する接続状態が確実に、且つ容易に維持されるようになっている。尤も、この雄ルアー１０２は、ネジで固定するルアーロック構造だけでなく、挿し込んで固定するルアースリップ構造であっても良い。
【００７０】
ここにおいて、ニードルレスコネクター１０に雄ルアー１０２を挿し入れた際には、雄ルアー１０２の押込力が下部弁１４にまで及ぼされて、下部弁１４の弁本体部６０が下方に押し下げられる。この押し下げに伴い、下部弁１４の弁本体部６０は、略密着状態とされた突状支持面３４に沿ってスリット６４の両側に押し広げられるように弾性変形することとなる。即ち、本実施形態では、下部弁１４の弁本体部６０が、雄ルアー１０２の挿入に伴い、実質的に変形する変形部とされている。従って、変形部の内面が、湾曲凸部７８，７８の内表面や拡径部６６の内周面を含んで構成されている一方、変形部の外面が、括れ状部６８，６８の表面や拡径部６６の外周面を含んで構成されている。そして、かかる下部弁１４に雄ルアー１０２を挿入することにより、拡開変形したスリット６４と突状支持面３４との間に隙間１０４が形成される。
【００７１】
特に、スリット６４の延びる方向と直交する方向には、突状支持面３４に湾曲凹部４２，４２が形成されている一方、下部弁１４における内面の湾曲凹部４２，４２に対応する位置には湾曲凸部７８，７８が形成されており、雄ルアー１０２を挿入することにより湾曲凸部７８，７８が湾曲凹部４２，４２表面に沿って外周側へ摺動変形する。一方、弁本体部６０の下側部分とされた拡径部６６は薄肉のテーパ筒形状とされていることから、上方からの雄ルアー１０２の挿入により外周側へ変形し易く、スリット６４の延びる方向と直交する方向において拡径部６６が突状支持面３４から容易に離れて膨らむようになっている。更に、柱体状部６２と突状支持面３４との間に形成される間隙と、拡径部６６と突状支持面３４との間に形成される間隙とは、例えば連通溝４０，４０を通じて連通され得て、これにより、下部弁１４と突状支持面３４との間に一層大きな隙間１０４を形成することができる。
【００７２】
かかる状態のニードルレスコネクター１０から雄ルアー１０２を抜去することにより、下部弁１４が図１，２等に示される状態へ復元変形して、薬液流路２８が遮断される。その際、湾曲凹部４２，４２に対して湾曲凸部７８，７８が摺動しつつ変形するようになっている。そして、図１，２等に示される雄ルアー１０２の抜去状態（非挿入状態）では、突状支持面３４の表面と下部弁１４における凹所７６の内面とが再び相互に重ね合わせられるようになっている。即ち、これら両面が、雄ルアー１０２の抜去に伴う変形部（弁本体部６０）の復元変形により、相互に当接する当接面とされている。
【００７３】
この結果、雄ルアー１０２の抜き取りに際して薬液流路２８に一層大きな陽圧（正圧）が発生して、血液等の逆流防止効果が更に安定して発揮され得る。即ち、雄ルアー１０２を抜き取った際に、広がっていたスリット６４が閉じる分に相当する容積減少に加えて、下部弁１４と突状支持面３４との間に発生していた隙間１０４が消失することに伴う容積減少が発生することで、雄ルアー１０２の抜き取りに伴う陰圧の発生が完全に防止されて、血液等の逆流防止効果が安定して発揮されるのである。
【００７４】
特に、本実施形態のニードルレスコネクター１０では、突状支持面３４と下部弁１４との当接面（重ね合わせ面）において、湾曲凹部４２，４２の表面が粗面領域とされていることから、雄ルアー１０２の抜取り時において、下部弁１４の弾性復帰中に突状支持面３４表面と下部弁１４とが張り付いてスリット６４の閉作動に不具合が発生するおそれが低減されている。これにより、薬液流路２８における先端開口部３８を速やかに遮断することができて、血液等の逆流防止効果が安定して発揮され得る。更に、下部弁１４の弾性復元変形時には、湾曲凹部４２，４２と湾曲凸部７８，７８が摺動しつつ変形することから、湾曲凹部４２，４２に粗面領域を設けることにより、湾曲凹部４２，４２と湾曲凸部７８，７８とが滑らかに摺動して、これらの張付きが一層効果的に防止され得る。
【００７５】
また、下部弁１４のスリット６４と直交する方向、即ちスリット６４へ雄ルアー１０２を挿入した際に、下部弁１４が最も押し広げられて弾性変形する方向において粗面領域が形成されていることから、突状支持面３４と下部弁１４との張付防止作用が効果的に享受され得る。
【００７６】
さらに、突状支持面３４上に変曲部４４，４４が形成されていることから、下部弁１４が弾性変形する際には当該変曲部４４，４４から離れるように変形が生じ易い。そして、かかる変曲部４４，４４の上方に粗面領域が設けられていることから、下部弁１４が大きく変形する位置に粗面領域が形成されており、突状支持面３４と下部弁１４との張付防止作用がより効果的に発揮され得る。
【００７７】
特に、本実施形態では、凹状断面の湾曲凹部４２が設けられていることにより、雄ルアー１０２の下部弁１４への押込時に、押込方向に対する傾斜角度が大きくなる湾曲凹部４２の下部付近で下部弁１４の強い密着力や大きな摩擦抵抗が発生し易い。一方、雄ルアー１０２のスリット６４からの抜去時には、下部弁１４の径方向復元力に対する傾斜角度が大きくなる湾曲凹部４２の上部付近で強い密着力や大きな摩擦抵抗が発生し易い。ここにおいて、本実施形態では、かかる湾曲凹部４２の下部付近と上部付近を含む広い領域において下部弁１４との当接面（重ね合わせ面）に粗面領域が形成されていることから、雄ルアー１０２の下部弁１４への押込時における押込抵抗力の軽減と、雄ルアー１０２の抜去時における下部弁１４の弾性復元作用の向上とが、何れも一層効果的に達成され得るのである。
【００７８】
更にまた、下部弁１４の上方には上部弁１６が設けられていることから、血液等の逆流防止効果が更に確実に発揮され得る。特に、雄ルアー１０２の先端に付着した血液等が、上部弁１６のスリット８８内壁により拭い取られることから、ニードルレスコネクター１０からの血液等の漏出が一層効果的に防止され得る。
【００７９】
以上、本発明の実施形態について説明してきたが、本発明はかかる実施形態における具体的な記載によって限定的に解釈されるものでなく、当業者の知識に基づいて種々なる変更，修正，改良などを加えた態様で実施可能である。
【００８０】
例えば、前記実施形態では、下部弁１４に加えて上部弁１６が設けられていたが、上部弁の形状は何等限定されるものではなく、また、上部弁は必須なものではない。上部弁を設けない場合には、前記実施形態に記載の下部弁１４のみが設けられてもよいし、前記実施形態に記載の下部弁１４と上部弁１６を合わせた形状の弾性弁体が採用されてもよい。
【００８１】
また、前記実施形態では、下部弁１４と突状支持面３４との当接面（重ね合わせ面）において、突状支持面３４上の湾曲凹部４２，４２表面が粗面領域とされていたが、かかる態様に限定されない。即ち、例えば突状支持面３４の全面に亘って粗面領域とされてもよいし、下部弁１４上における湾曲凸部７８，７８の内表面が粗面領域とされたり、下部弁１４における凹所７６の内面が全面に亘って粗面領域とされてもよい。更に、下部弁１４と突状支持面３４との両方に粗面領域が設けられてもよく、例えば突状支持面３４には全面に亘って粗面領域が設けられる一方、下部弁１４には湾曲凸部７８，７８の表面のみに粗面領域が設けられる等、突状支持面３４の粗面領域と下部弁１４の粗面領域とは異なる箇所に設けられてもよい。
【００８２】
さらに、前記実施形態ではサンドブラスト加工により湾曲凹部４２，４２表面を粗面として形成していたが、かかる態様に限定されない。即ち、例えばベースハウジング１８や下部弁１４が射出成形にて形成される場合には、ショットブラスト加工、梨子地加工、エッチング加工、プレス加工またはレーザー加工等により射出成型の金型に凹凸を形成して、それを転写させることで粗面領域を形成するようにしてもよい。或いは、ベースハウジング１８や下部弁１４が射出成形、または射出成形以外で形成される場合には、突状支持面３４の表面や下部弁１４の内表面に、ショットブラスト加工、梨子地加工、エッチング加工、プレス加工またはレーザー加工等により粗面領域を形成するようにしてもよい。また、これらの加工手段を複数組み合わせて採用して、粗面領域を形成してもよい。尤も、上記の如き粗面化処理は必須なものではなく、例えば特別な処理を施さない状態で粗面領域を有する材質等を用いて、ベースハウジング１８や下部弁１４を形成してもよい。
【００８３】
また、粗面領域における凹凸の大きさ、形状、密度等は何等限定されるものではない。かかる粗面領域は、円や多角形の錐体または柱体、ドーム状の半球体等の独立した凹凸が複数形成されたものや、直線や湾曲、屈曲等した線条の凹凸や、線が部分的に相互交差したメッシュ状の凹凸等の連続した凹凸からなるもの、またはこれらの混合から構成されてもよい。
【００８４】
更にまた、前記実施形態において、ハウジング１２や押さえスリーブ９０に設けられていた空気抜き孔５８や貫通孔９２は必須なものではない。特に、カバーハウジング２０の空気抜き孔５８や押さえスリーブ９０の貫通孔９２を設けないことにより、雄ルアー１０２の挿入時に変形許容空間９４内の空気が圧縮されることから、空気ばねの作用で下部弁１４の弾性復元が更に効率的に達成され得る。
【００８５】
さらに、前記実施形態では、突状支持面３４は、全体として長山形状とされていたが、かかる形状に限定されない。即ち、例えば、突状支持面は、ニードルレスコネクターの中心軸回りで回転対称な形状とされてもよい。尤も、本発明において、突状支持面は必須なものではない。
【００８６】
更にまた、突状支持面に形成される湾曲凹部の形状や大きさ、数、形成位置等は何等限定されるものではない。また、突状支持面上の変曲部の形状や大きさ、数、形成位置等は何等限定されるものではない。なお、前記実施形態では、湾曲凹部４２，４２の下端縁部が変曲部４４，４４とされていたが、湾曲凹部４２，４２の上端縁部が変曲部とされてもよいし、上端縁部と下端縁部の両方を変曲部としてもよい。尤も、本発明において、湾曲凹部および変曲部は必須なものではなく、突状支持面は頂部から裾部に亘って直線状の傾斜面で構成されていてもよいし、突状支持面上には凸部等が形成されてもよい。
【００８７】
更にまた、前記実施形態では、変形許容空間９４は弁本体部６０の外周側において周方向の全周に亘って延びて形成されていたが、その必要はない。即ち、図７に示されるニードルレスコネクター１０６のように、弾性弁体としての下部弁１０８の内部に変形許容空間１１０が設けられてもよく、本態様においても、突状支持面３４と下部弁１０８との重ね合わせ面の少なくとも一部、例えば湾曲凹部４２，４２の表面が粗面領域とされることにより、突状支持面３４と下部弁１０８との張付防止効果が発揮され得る。本態様では、変形許容空間１１０は密閉構造とされているため、圧縮された空気による空気ばねの効果が十分に発揮されて、雄ルアー１０２の抜取りに伴う下部弁１０８の復元時において、下部弁１０８の弾性復元力だけでなく、空気ばねの作用も得ることができる。尤も、本態様においても、変形許容空間１１０を外部空間に連通する空間連通路が設けられてもよい。なお、かかる変形許容空間１１０は、周方向に連続している必要はなく、周方向で独立した、または相互に接続された複数の変形許容空間を設けてもよい。
【００８８】
また、図８に示されるニードルレスコネクター１１２のように、前記実施形態に記載のニードルレスコネクター１０の変形許容空間９４が、ポリウレタン等のスポンジ状の連続気泡を有する合成発泡体１１４で充填されていてもよい。かかる合成発泡体１１４は、内部に連続気泡からなる実質的な空間を有しており、下部弁１４の形状に合わせて弾性変形可能とされている。本態様においても、突状支持面３４と下部弁１４との重ね合わせ面の少なくとも一部、例えば湾曲凹部４２，４２の表面が粗面領域とされることにより、突状支持面３４と下部弁１４との張付防止効果が発揮され得る。即ち、本発明においては、変形許容空間として所定容積の空間を下部弁の外周側に設ける必要はなく、図７に示す態様のように変形許容空間を下部弁の内部に設けたり、図８に示す態様のように下部弁の外周側に実質的に内部に空間を有する弾性部材を設けてもよい。
【００８９】
なお、下部弁１４と突状支持面３４とは、前記実施形態のように、実質的に全面に亘って略密着状態で重ね合わされることが望ましい。これにより、雄ルアーを抜き取って弾性弁体が元の形状へ復元した後に、突状支持面と弾性弁体とが再び密着状態で重ね合わされることで更に大きな陽圧を発生し得る。この結果、突状支持面と弾性弁体との間に形成される隙間において血液等の残留が一層防止されると共に、血液等の逆流が更に効果的に防止され得る。
【００９０】
また、前記実施形態では、スリット６４の延びる方向と直交する方向において、雄ルアー１０２の挿入の際に、拡径部６６が突状支持面３４から離れて膨らんでいたが、かかる態様に限定されない。即ち、例えばスリット６４の延びる方向と同方向において、拡径部６６が突状支持面３４から離れて膨らんでもよいし、拡径部６６より上方の柱体状部６２が突状支持面３４から離れて膨らむようにしてもよい。
【００９１】
なお、弾性弁体の形状は前記実施形態に記載のものに限定されない。例えば、特許第４４６９８０２号公報（特許文献２）に記載の弾性弁体の如き形状であってもよい。即ち、この弾性弁体においては、特許文献２の図３に示されているように、雄ルアーの挿入に伴い蛇腹状とされた圧縮性部分（特許文献２における図２，３中の４８）が軸方向で圧縮変形させられると共に、軸直角方向で膨出変形させられる。従って、かかる圧縮性部分（４８）が雄ルアーの挿入に伴い変形する変形部とされている。また、この変形部（４８）は、軸直角方向に膨出変形して、ハウジング（１４）の支持管（２９）の外周面やボア（３３）の内周面に当接することから、弾性弁体がかかる形状とされる場合にはこれらの当接面に粗面領域が設けられてもよい。即ち、かかる当接面に粗面領域が設けられることにより、雄ルアーの挿入に伴って変形部（４８）が変形してハウジング（１４）に当接する際にも、当該雄ルアーの抜去に伴う変形部（４８）とハウジング（１４）との張付きが効果的に低減又は回避されることから、スリットの閉鎖が速やかに実現され得る。
【００９２】
特に、上記特許文献２の図２，３に記載の弾性弁体では、雄ルアーの抜取り時には、蛇腹状とされた圧縮性部分（４８）の山部がハウジング（１４）に対して摺動しつつ復元変形することから、変形部（４８）とハウジング（１４）との当接面に粗面領域を設けることにより、これらの張付きがより効果的に防止されて、血液等の逆流防止効果が一層安定して享受され得る。また、雄ルアーの挿入時においても、圧縮性部分（４８）の山部とハウジング（１４）との張付きが防止されることから、挿入抵抗の低減も図られ得る。
【００９３】
なお、本発明に係る弾性弁体の変形部は、雄ルアーの挿抜に伴う変形時においてハウジングと当接すればよく、例えば初期状態（雄ルアーの非挿入状態）では、弾性弁体の変形部とハウジングは当接していなくてもよい。即ち、上記特許文献２の図２において、圧縮性部分（４８）の内面や外面はハウジング（１４）と当接していなくてもよい。
【００９４】
また、前記実施形態において、図５，６中では、雄ルアー１０２の挿入に伴い下部弁１４の変形部（弁本体部６０）が、外周側に位置する押さえスリーブ９０と当接しない程度に膨らみ変形しているが、変形部と押さえスリーブが当接する場合には、変形部と突状支持面との当接面（重ね合わせ面）に代えて、または加えて、変形部と押さえスリーブとの当接面（重ね合わせ面）に粗面領域が設けられてもよい。
【符号の説明】
【００９５】
１０，１０６，１１２：ニードルレスコネクター、１２：ハウジング、１４，１０８：下部弁（弾性弁体）、１６：上部弁（第２弁体）、２８：薬液流路、３４：突状支持面、３８：先端開口部、４２：湾曲凹部、４４：変曲部、６４：スリット、６８：抉れ状部、８８：スリット（第２のスリット）、９４，１１０：変形許容空間、１０２：雄ルアー
【図１】
2017104233.tif 000003
【図２】
2017104233.tif 000004
【図３】
2017104233.tif 000005
【図４】
2017104233.tif 000006
【図５】
2017104233.tif 000007
【図６】
2017104233.tif 000008
【図７】
2017104233.tif 000009
【図８】
2017104233.tif 000010